(57)【要約】      （修正有）【課題】極めて特異な外観形態となり、看者に特異な印象を与えることができ、商品販売の際の購買意欲を惹起することができ、集客効果も向上することができ、室内の装飾的効果及び演出効果を高めることができる室内装飾品を提供する。【解決手段】エルボ、ティー、ニップル、キャップ、プラグ、ブッシュ、クロス、バルブ等の各種の複数個の配管部品Ｈを連結してなり、各種の複数個の配管部品を連結して、文字、数字、記号又はこれらの結合を模してなる配管装飾体Ｗを形成し、配管装飾体を建築物の室内に単数又は複数配置して用いられる。【選択図】図３
0003233156.tif 000002
【実用新案登録請求の範囲】
【請求項１】
各種の複数個の配管部品を連結してなり、該各種の複数個の配管部品を連結して、文字、数字、記号又はこれらの結合を模してなる配管装飾体を形成し、該配管装飾体を建築物の室内に単数又は複数配置して用いられることを特徴とする室内装飾品。
【請求項２】
上記文字は、アルファベットであることを特徴とする請求項１記載の室内装飾品。
【請求項３】
上記配管部品は、エルボ、ティー、ニップル、クロス、ブッシュ、キャップ、プラグ、バルブ等より選ばれたものとしたことを特徴とする請求項１又は２記載の室内装飾品。
【考案の詳細な説明】
【技術分野】
【０００１】
本考案は、応接室、事務室、居間、書斎、台所、玄関、浴室などの室内に配置して用いられる室内装飾品に関するものである。
【背景技術】
【０００２】
従来、この種の室内装飾品として、金属製、陶磁器製、ガラス製、合成樹脂製の立体的装飾体に人物や動物を象った構造の置物品、あるいは、布製板材、板紙製、木板製の平面的装飾体に絵画や模様を施した構造の壁飾品が知られている。
【先行技術文献】
【特許文献】
【０００３】
【特許文献１】実開平３−１３１９６号公報
【特許文献２】実用新案登録第３１２０２８４号公報
【考案の概要】
【考案が解決しようとする課題】
【０００４】
しかしながら上記室内装飾品の場合、外観形態が一般的にありふれた領域を脱しないものであり、商品販売の際の購買意欲を惹起する印象が薄く、集客効果も薄く、また、応接室や玄関等に飾り付けても、それほど看者の視覚に訴えることが少なく、室内の装飾的効果及び演出効果も薄く、更なる斬新性に富む装飾品の出現が望まれている。
【課題を解決するための手段】
【０００５】
本考案はこれらの不都合を解決することを目的とするもので、本考案のうちで、請求項１記載の考案は、各種の複数個の配管部品を連結してなり、該各種の複数個の配管部品を連結して、文字、数字、記号又はこれらの結合を模してなる配管装飾体を形成し、該配管装飾体を建築物の室内に単数又は複数配置して用いられることを特徴とする室内装飾品にある。
【０００６】
又、請求項２記載の考案は、上記文字は、アルファベットであることを特徴とするものであり、又、請求項３記載の考案は、上記配管部品は、エルボ、ティー、ニップル、クロス、ブッシュ、キャップ、プラグ、バルブ等より選ばれたものとしたことを特徴とするものである。
【考案の効果】
【０００７】
本考案は上述の如く、請求項１記載の考案にあっては、各種の複数個の配管部品を連結してなり、各種の複数個の配管部品を連結して、文字、数字、記号又はこれらの結合を模してなる配管装飾体を形成し、配管装飾体を建築物の室内に単数又は複数配置して用いられることになり、この配管装飾体は各種の複数個の配管部品を連結して形成されているから、極めて特異な外観形態となり、看者に特異な印象を与えることができ、商品販売の際の購買意欲を惹起することができ、集客効果も向上することができ、また、応接室や玄関等に飾り付けることにより看者の視覚に訴えることができ、室内の装飾的効果及び演出効果を高めることができ、斬新性に富む装飾品を提供することができる。
【０００８】
又、請求項２記載の考案にあっては、上記文字は、アルファベットであるから、室内に相応しい文字とすることができ、室内の装飾的効果及び演出効果を高めることができ、請求項３記載の考案にあっては、上記配管部品は、エルボ、ティー、ニップル、クロス、ブッシュ、キャップ、プラグ、バルブ等より選ばれたものであるから、種々の配管部品を用いることにより、配管装飾体の斬新性を向上することができる。
【図面の簡単な説明】
【０００９】
【図１】本考案の実施の第一形態例の全体斜視図である。
【図２】本考案の実施の第一形態例の全体分解斜視図である。
【図３】本考案の実施の第一形態例の全体正面図である。
【図４】本考案の実施の第一形態例の部分正断面図である。
【図５】本考案の実施の第二形態例の全体正面図である。
【図６】本考案の実施の第三形態例の全体正面図である。
【図７】本考案の実施の第四形態例の全体斜視図である。
【図８】本考案の実施の第四形態例の全体分解斜視図である。
【図９】本考案の実施の第四形態例の全体正面図である。
【図１０】本考案の実施の第四形態例の部分正断面図である。
【図１１】本考案の実施の第五形態例の全体正面図である。
【図１２】本考案の実施の第六形態例の全体正面図である。
【考案を実施するための形態】
【００１０】
図１乃至図１２は本考案の実施の形態例を示し、図１乃至図４は第一形態例、図５は第二形態例、図６は第三形態例、図７乃至図１０は第四形態例、図１１は第五形態例、図１２は第六形態例を示している。
【００１１】
上記図１乃至図４の第一形態例においては、各種の複数個の配管部品Ｈ・・を連結してなり、各種の複数個の配管部品Ｈ・・を連結して、文字、数字、記号又はこれらの結合を模してなる配管装飾体Ｗを形成し、配管装飾体Ｗを建築物の室内に単数又は複数配置して用いられることになる。
【００１２】
上記文字としては、アルファベット、片仮名、漢字、その他の文字が用いられ、又、上記配管部品Ｈとしては、例えば、エルボＨ１、ティーＨ２、ニップルＨ３、クロス、ブッシュ、キャップＨ４、プラグＨ５、バルブ等より選ばれたものが用いられる。
【００１３】
この場合、図１乃至図４の如く、上記各種の複数個の配管部品Ｈ・・として、金属製のねじ込み式配管継手としての３個のエルボＨ１、２個のティーＨ２、７個のニップルＨ３、２個のキャップＨ４が用いられ、これらの複数個の配管部品Ｈ・・を連結して、アルファベットの「Ａ」を模してなる配管装飾体Ｗを形成している。
【００１４】
なお、上記文字としては、「Ａ」、「Ｂ」、「Ｃ」等のアルファベットに限らず、その他の文字が用いられ、又、数字としては、「１」、「２」、「３」等のアラビア数字に限らず、「I」、「II」、「III」等のローマ数字、その他の数字が用いられ、又、記号としては、「＋」、「−」、「＊」、「←」等の記号、その他の記号が用いられ、又、これらの結合としては、上記文字、数字、記号を結合したものとされる。
【００１５】
この実施の第一形態例は上記構成であるから、各種の複数個の配管部品Ｈ・・を連結してなり、各種の複数個の配管部品Ｈ・・を連結して、文字、数字、記号又はこれらの結合を模してなる配管装飾体Ｗを形成し、配管装飾体Ｗを建築物の室内に単数又は複数配置して用いられることになり、この配管装飾体Ｗは各種の複数個の配管部品Ｈ・・を連結して形成されているから、極めて特異な外観形態となり、看者に特異な印象を与えることができ、商品販売の際の購買意欲を惹起することができ、集客効果も向上することができ、また、応接室や玄関等に飾り付けることにより看者の視覚に訴えることができ、室内の装飾的効果及び演出効果を高めることができ、斬新性に富む装飾品を提供することができる。
【００１６】
又、この場合、上記文字は、アルファベットであるから、室内に相応しい文字とすることができ、室内の装飾的効果及び演出効果を高めることができ、又、この場合、上記配管部品Ｈ・・は、エルボＨ１、ティーＨ２、ニップルＨ３、クロス、ブッシュ、キャップＨ４、プラグＨ５、バルブ等より選ばれたものであるから、種々の配管部品Ｈ・・を用いることにより、配管装飾体Ｗの斬新性を向上することができる。
【００１７】
図５の第二形態例は別例構造を示し、この場合、上記各種の複数個の配管部品Ｈ・・として、ねじ込み式配管継手としての６個のエルボＨ１、２個のティーＨ２、９個のニップルＨ３が用いられ、これらの複数個の配管部品Ｈ・・を連結して、アルファベットの「Ｂ」を模してなる配管装飾体Ｗを形成している。
【００１８】
図６の第三形態例は別例構造を示し、この場合、上記各種の複数個の配管部品Ｈ・・として、ねじ込み式配管継手としての４個のエルボＨ１、３個のニップルＨ３、２個のプラグＨ５が用いられ、これらの複数個の配管部品Ｈ・・を連結して、アルファベットの「Ｃ」を模してなる配管装飾体Ｗを形成している。
【００１９】
この実施の第二及び第三形態例にあっても、上記第一形態例と同様に配管装飾体Ｗは各種の複数個の配管部品Ｈ・・を連結して形成されているから、極めて特異な外観形態となり、看者に特異な印象を与えることができ、商品販売の際の購買意欲を惹起することができ、集客効果も向上することができ、また、応接室や玄関等に飾り付けることにより看者の視覚に訴えることができ、室内の装飾的効果及び演出効果を高めることができ、斬新性に富む装飾品を提供することができる。
【００２０】
図７乃至図１０の第四形態例は別例構造を示し、この場合、上記各種の複数個の配管部品Ｈ・・として、金属製の差し込み溶接式配管継手としての３個のエルボＨ１、２個のティーＨ２、５個のニップルＨ３、２個のキャップＨ４が用いられ、これらの複数個の配管部品Ｈ・・を連結して、アルファベットの「Ａ」を模してなる配管装飾体Ｗを形成している。
【００２１】
この実施の第四形態例は上記構成であるから、各種の複数個の配管部品Ｈ・・を連結してなり、各種の複数個の配管部品Ｈ・・を連結して、文字、数字、記号又はこれらの結合を模してなる配管装飾体Ｗを形成し、配管装飾体Ｗを建築物の室内に単数又は複数配置して用いられることになり、この配管装飾体Ｗは各種の複数個の配管部品Ｈ・・を連結して形成されているから、極めて特異な外観形態となり、看者に特異な印象を与えることができ、商品販売の際の購買意欲を惹起することができ、集客効果も向上することができ、また、応接室や玄関等に飾り付けることにより看者の視覚に訴えることができ、室内の装飾的効果及び演出効果を高めることができ、斬新性に富む装飾品を提供することができる。
【００２２】
図１１の第五形態例は別例構造を示し、この場合、上記各種の複数個の配管部品Ｈ・・として、差し込み溶接式管継手としての６個のエルボＨ１、２個のティーＨ２、８個のニップルＨ３が用いられ、これらの複数個の配管部品Ｈ・・を連結して、アルファベットの「Ｂ」を模してなる配管装飾体Ｗを形成している。
【００２３】
図１２の第六形態例は別例構造を示し、この場合、上記各種の複数個の配管部品Ｈ・・として、差し込み溶接式管継手としての４個のエルボＨ１、５個のニップルＨ３、２個のキャップＨ４が用いられ、これらの複数個の配管部品Ｈ・・を連結して、アルファベットの「Ｃ」を模してなる配管装飾体Ｗを形成している。
【００２４】
この実施の第五及び第六形態例にあっても、上記第四形態例と同様に配管装飾体Ｗは各種の複数個の配管部品Ｈ・・を連結して形成されているから、極めて特異な外観形態となり、看者に特異な印象を与えることができ、商品販売の際の購買意欲を惹起することができ、集客効果も向上することができ、また、応接室や玄関等に飾り付けることにより看者の視覚に訴えることができ、室内の装飾的効果及び演出効果を高めることができ、斬新性に富む装飾品を提供することができる。
【００２５】
尚、本考案は上記実施の形態例に限られるものではなく、上記配管部品Ｈ、配管装飾体Ｗ、エルボＨ１、ティーＨ２、ニップルＨ３、キャップＨ４、プラグＨ５の形状や大きさ、構造、材質等は適宜変更して設計されるものである。
【００２６】
以上の如く、所期の目的を充分達成することができる。
【符号の説明】
【００２７】
Ｈ    配管部品
Ｗ    配管装飾体
Ｈ１    エルボ
Ｈ２    ティー
Ｈ３    ニップル
Ｈ４    キャップ
Ｈ５    プラグ
【図１】
0003233156.tif 000003
【図２】
0003233156.tif 000004
【図３】
0003233156.tif 000005
【図４】
0003233156.tif 000006
【図５】
0003233156.tif 000007
【図６】
0003233156.tif 000008
【図７】
0003233156.tif 000009
【図８】
0003233156.tif 000010
【図９】
0003233156.tif 000011
【図１０】
0003233156.tif 000012
【図１１】
0003233156.tif 000013
【図１２】
0003233156.tif 000014